(57)【要約】【課題】  いろいろな項目の時間管理を簡単確実に行える汎用性の高いマルチアラーム付き時計を提供する。【解決手段】  マルチアラーム付き時計１は、現在の時刻を計時する時計部２と、複数のアラーム時刻を一度に設定することができるアラーム設定部と、現在の時刻が複数のアラーム時刻のいずれかと一致したときにアラーム報知を行うアラーム報知部と、時計部２と同じ面に設けられ、複数のアラーム時刻をそれぞれ目視可能に表示する複数のアラーム時刻表示部３１、３２、３３、３４、３５と、時計部２と同じ面に設けられ、アラーム時刻表示部３１、３２、３３、３４、３５に表示されるアラーム時刻に対応する項目を書き換え可能に記入することができる項目記入欄４１、４２、４３、４４、４５と、を備えている。【選択図】  図５
0003182364.tif 000002
【実用新案登録請求の範囲】
【請求項１】
現在の時刻を計時する時計部と、
複数のアラーム時刻を一度に設定することができるアラーム設定部と、
前記現在の時刻が前記複数のアラーム時刻のいずれかと一致したときにアラーム報知を行うアラーム報知部と、
前記時計部と同じ面に設けられ、前記複数のアラーム時刻を目視可能に表示するアラーム時刻表示部と、
前記時計部と同じ面に設けられ、前記アラーム時刻表示部に表示される前記アラーム時刻に対応する項目を書き換え可能に記入することができる項目記入欄と、を備えたマルチアラーム付き時計。
【請求項２】
前記アラーム設定部は、前記複数のアラーム時刻の少なくとも１つに関して、アラーム音の設定、アラーム音量の設定、及び、スヌーズのＯｎ／Ｏｆｆ制御からなる群から選ばれる少なくとも１つをさらに行う、請求項１に記載のマルチアラーム付き時計。
【請求項３】
前記複数のアラーム時刻のうちの少なくとも１つの経過後に当該アラーム時刻が経過したことを視覚的に知らせるリマインダー手段をさらに備えた、請求項１又は２に記載のマルチアラーム付き時計。
【請求項４】
前記時計部の設けられている面がホワイトボードからなる、請求項１〜３のいずれか１項に記載のマルチアラーム付き時計。
【考案の詳細な説明】
【技術分野】
【０００１】
本考案は、所定の時刻にアラーム報知を行うアラーム付き時計に関する。さらに詳細には、本考案は、複数のアラーム時刻を一度に設定することができるマルチアラーム付き時計に関する。
【背景技術】
【０００２】
従来、複数のアラーム時刻を設定可能なマルチアラーム付き時計が種々提案されている（例えば、特許文献１〜４参照）。
【先行技術文献】
【特許文献】
【０００３】
【特許文献１】実開昭６２−１６５５９２号公報
【特許文献２】実開平４−６３０９９号公報
【特許文献３】実開平４−６４７９４号公報
【特許文献４】特開２０１２−１３２８５７号公報
【考案の概要】
【考案が解決しようとする課題】
【０００４】
ところで、従来提案されているいずれのマルチアラーム付き時計においても、複数のアラーム時刻が何に対するアラーム時刻であるのかはアラームを聞いただけでは分からず、ユーザーの記憶に頼っているのが現状である。
しかし、複数のアラーム項目の管理をユーザーの記憶だけに頼っていたのでは、ユーザーの負担が大きく、アラーム項目の時間管理を確実に行うことは困難である。特に、時間に追われる中で、幼稚園／小学校／介護施設の送り出し／お迎え、薬の服用、犬の散歩、集会への参加、買い出し等々の、日々のルーチン作業の時間管理を行う場合には、なおさらである。
また、アラーム項目はユーザーによって様々であり、前記課題を解決するに際しては、汎用性の高いものとすることが望ましい。
【０００５】
本考案は、従来技術における前記課題を解決するためになされたものであり、いろいろな項目の時間管理を簡単確実に行える汎用性の高いマルチアラーム付き時計を提供することを目的とする。
【課題を解決するための手段】
【０００６】
前記目的を達成するため、本考案に係るマルチアラーム付き時計は、
（１）現在の時刻を計時する時計部と、複数のアラーム時刻を一度に設定することができるアラーム設定部と、前記現在の時刻が前記複数のアラーム時刻のいずれかと一致したときにアラーム報知を行うアラーム報知部と、前記時計部と同じ面に設けられ、前記複数のアラーム時刻を目視可能に表示するアラーム時刻表示部と、前記時計部と同じ面に設けられ、前記アラーム時刻表示部に表示される前記アラーム時刻に対応する項目を書き換え可能に記入することができる項目記入欄と、を備えたことを特徴とする。
【０００７】
本考案において、項目記入欄は、枠線で囲まれていてもよく、単に項目を記入することができるスペースが確保されているだけであってもよい。また、項目記入欄は、例えば、ホワイトボード用マーカーを用いて書き換え可能に項目を記入することができるホワイトボードからなっていてもよく、タッチペンを用いて書き換え可能に項目を記入することができる電子ペーパー等からなっていてもよい。
【０００８】
本考案のマルチアラーム付き時計の（１）の構成によれば、項目記入欄のそれぞれに、例えば、「幼稚園バス送り出し」、「役員会」、「幼稚園バスお迎え」、「犬の散歩」、「祖母にお礼の電話」等の項目を記入し、これらの項目にそれぞれ対応するアラーム時刻「０７：３５」、「１１：３０」、「１４：３０」、「１６：００」、「１３：００」を設定しておくことにより、アラームを聞いた直後に、時計部の示す時刻と同じアラーム時刻に対応する項目を見るだけで、今何をすべきかを簡単確実に把握することができる。このように、本考案のマルチアラーム付き時計を用いれば、時間に追われる中で、日々のルーチン作業を着実にこなしていくことができる。また、本考案のマルチアラーム付き時計は、書き換え可能に項目を記入することができる項目記入欄を備えているため、いろいろな項目の時間管理を行うことができ、汎用性の高いものとなっている。すなわち、本考案によれば、いろいろな項目の時間管理を簡単確実に行える汎用性の高いマルチアラーム付き時計を提供することができる。
【０００９】
前記本考案のマルチアラーム付き時計の構成においては、以下の（２）〜（１１）のような構成にすることが好ましい。
【００１０】
（２）前記複数のアラーム時刻、並びに、各アラーム時刻のアラーム音の種類及び音量を記憶する記憶部をさらに備えている。
【００１１】
（３）前記アラーム設定部は、前記複数のアラーム時刻の少なくとも１つに関して、アラーム音の設定、アラーム音量の設定、及び、スヌーズのＯｎ／Ｏｆｆ制御からなる群から選ばれる少なくとも１つをさらに行う。
【００１２】
上記（３）の好ましい構成によれば、各アラームの設定にバリエーションをもたせることができるので、重要度の高い項目とそうでない項目とを区別することが可能となる。
【００１３】
（４）前記複数のアラーム時刻のうちの少なくとも１つの経過後に当該アラーム時刻が経過したことを視覚的に知らせるリマインダー手段をさらに備えている。
【００１４】
上記（４）の好ましい構成によれば、ユーザーがアラームを聞き損ったとしても、アラーム時刻が経過したことを視認で気付かせることができる。
【００１５】
（５）前記時計部は、デジタル式であり、前記アラーム時刻表示部が複数設けられ、前記複数のアラーム時刻が前記複数のアラーム時刻表示部にそれぞれデジタル表示される。
【００１６】
（６）上記（５）において、前記アラーム時刻表示部ごとに前記項目記入欄が設けられている。
【００１７】
（７）上記（６）において、前記項目記入欄は、前記アラーム時刻表示部の上下左右いずれかに位置して設けられている。尚、この場合、１つのアラーム時刻表示部とそれに対応する項目記入欄とが対になっていることが分かれば、当該アラーム時刻表示部と当該項目記入欄との間に他の要素が配置されていてもよい。
【００１８】
（８）前記時計部は、アナログ式であり、複数のアラーム設定用指針が設けられ、前記アラーム設定部は、当該複数のアラーム設定用指針に対応して前記複数のアラーム時刻を設定する。
【００１９】
（９）背面にマグネットが取り付けられている。
【００２０】
上記（９）の好ましい構成によれば、マルチアラーム付き時計を冷蔵庫等に貼り付けて使用することが可能となる。尚、マルチアラーム付き時計の背面にスタンドを取り付け、卓上タイプとして使用することもできる。また、フック等を用いて、マルチアラーム付き時計を壁等に掛けるようにしてもよい。さらには、紐等を用いて、マルチアラーム付き時計をキッチン等につりさげるようにしてもよい。
【００２１】
（１０）前記時計部の設けられている面がホワイトボードからなる。
【００２２】
上記（１０）の好ましい構成によれば、項目記入欄に、ホワイトボード用マーカーを用いて書き換え可能に項目を記入することができる。また、この好ましい構成によれば、項目記入欄以外のエリアにもメモ書き等ができる等、利便性が向上する。
【００２３】
（１１）少なくとも前記時計部、前記アラーム時刻表示部及び前記項目記入欄に対応する部分をくりぬいて形成され、前記マルチアラーム付き時計に着脱可能に装着される着せ替えカバーをさらに備えている。
【００２４】
上記（１１）の好ましい構成によれば、マルチアラーム付き時計のインテリア性を向上させることができる。この場合、複数種の色の着せ替えカバーを用意しておき、ユーザーの気分によって選べるようにしておくことが望ましい。また、風景画等を描いた着せ替えカバーを用いれば、マルチアラーム付き時計のインテリア性をさらに向上させることができる。
【考案の効果】
【００２５】
本考案によれば、いろいろな項目の時間管理を簡単確実に行える汎用性の高いマルチアラーム付き時計を提供することができる。
【図面の簡単な説明】
【００２６】
【図１】図１は、本考案の第１の実施の形態におけるマルチアラーム付き時計の外観を示す正面図である。
【図２】図２は、本考案の第１の実施の形態におけるマルチアラーム付き時計の外観を示す背面図である。
【図３】図３は、本考案の第１の実施の形態におけるマルチアラーム付き時計の制御ブロックを示す図である。
【図４】図４は、本考案の第１の実施の形態におけるマルチアラーム付き時計のアラーム制御部の制御ロジックを示す図である。
【図５】図５は、本考案の第１の実施の形態におけるマルチアラーム付き時計の使用例を示す正面図である。
【図６】図６は、本考案の第１の実施の形態におけるマルチアラーム付き時計の外観の他の構成を示す正面図である。
【図７】図７は、本考案の第１の実施の形態におけるマルチアラーム付き時計の制御ブロックの他の構成を示す図である。
【図８】図８は、本考案の第１の実施の形態におけるマルチアラーム付き時計の他の使用例を示す正面図である。
【図９】図９は、本考案の第２の実施の形態におけるマルチアラーム付き時計の外観を示す正面図である。
【図１０】図１０は、本考案の第２の実施の形態におけるマルチアラーム付き時計に装着して用いられる着せ替えカバーの構成を示す正面図である。
【図１１】図１１は、本考案の第２の実施の形態におけるマルチアラーム付き時計に装着して用いられる着せ替えカバーの構成を示す背面図である。
【図１２】図１２は、本考案の第３の実施の形態におけるマルチアラーム付き時計の外観を示す正面図である。
【図１３】図１３は、本考案の第３の実施の形態におけるマルチアラーム付き時計の使用例を示す正面図である。
【考案を実施するための形態】
【００２７】
以下、好適な実施の形態を用いて本考案をさらに具体的に説明する。但し、下記の実施の形態は本考案を具現化した例に過ぎず、本考案はこれに限定されるものではない。
【００２８】
［第１の実施の形態］
まず、本考案の第１の実施の形態におけるマルチアラーム付き時計の構成について、図１〜図５を参照しながら説明する。
【００２９】
図１は、本考案の第１の実施の形態におけるマルチアラーム付き時計の外観を示す正面図、図２は、当該マルチアラーム付き時計の外観を示す背面図、図３は、当該マルチアラーム付き時計の制御ブロックを示す図、図４は、当該マルチアラーム付き時計のアラーム制御部の制御ロジックを示す図、図５は、当該マルチアラーム付き時計の使用例を示す正面図である。
【００３０】
本実施の形態のマルチアラーム付き時計は、目覚まし時計としてはもちろんのこと、例えば、幼稚園／小学校／介護施設の送り出し／お迎え、薬の服用、犬の散歩、集会への参加、買い出し等々の、日々のルーチン作業の基点として、適時アラームでユーザーにタイミングを知らせるために使用されるものである。また、本実施の形態のマルチアラーム付き時計は、例えば、自宅で模試の練習をする場合の、開始時間、休憩時間、再開時間、終了時間等をユーザーに知らせるためにも使用することができる。また、本実施の形態のマルチアラーム付き時計は、連続した会議の案件ごとの時間管理に使用したり、集中的に特定業務を行う場合のペース配分を把握するために使用したりすることもできる。当該マルチアラーム付き時計は、生活の中心となるリビングだけではなく、キッチン、病室、オフィス等でも使用することができ、つりさげたり、冷蔵庫等にマグネットで貼り付けたりして使用される（以上のことは、後述する第２及び第３の実施の形態のマルチアラーム付き時計についても言えることである）。
【００３１】
図１〜図３、図５に示すように、本実施の形態のマルチアラーム付き時計（以下、単に「時計」ともいう）１は、横長の長方形状に形成されたデジタル時計である。時計１は、現在の時刻を計時する時計部２と、複数のアラーム時刻を一度に設定することができるアラーム設定部１４１、１４２、１４３、１４４、１４５と、現在の時刻が複数のアラーム時刻のいずれかと一致したときにアラーム報知を行うアラーム報知部（スピーカ）１８と、時計部２と同じ面（前面）に設けられ、複数のアラーム時刻をそれぞれ目視可能にデジタル表示する複数のアラーム時刻表示部３１、３２、３３、３４、３５と、時計部２と同じ面（前面）に設けられ、アラーム時刻表示部３１、３２、３３、３４、３５に表示されるアラーム時刻に対応する項目を書き換え可能に記入することができる項目記入欄４１、４２、４３、４４、４５と、を備えている。ここで、項目記入欄４１、４２、４３、４４、４５は、それぞれ枠線で囲まれている。
【００３２】
本実施の形態において、時計部２は、時計１の前面の左上に配置されている。また、アラーム時刻表示部３１、３２、３３、３４、３５は、時計部２の下にこの順番で縦に配置されている。また、項目記入欄４１、４２、４３、４４、４５のそれぞれは、アラーム時刻表示部３１、３２、３３、３４、３５のそれぞれの右に位置して設けられている。すなわち、項目記入欄は、アラーム時刻表示部ごとに設けられている。尚、アラーム報知部１８としてのスピーカは、時計１の本体側面に設けられている。
【００３３】
本実施の形態のマルチアラーム付き時計１の構成によれば、図５に示すように、項目記入欄４１、４２、４３、４４、４５のそれぞれに、例えば、「幼稚園バス送り出し」、「役員会」、「幼稚園バスお迎え」、「犬の散歩」、「祖母にお礼の電話」等の項目を記入し、これらの項目にそれぞれ対応するアラーム時刻「０７：３５」、「１１：３０」、「１４：３０」、「１６：００」、「１３：００」を設定しておくことにより、アラームを聞いた直後に、時計部２の示す時刻と同じアラーム時刻に対応する項目を見るだけで、今何をすべきかを簡単確実に把握することができる。例えば、アラームを聞いた直後の時計部２の示す時刻が「１４：３０」であれば、アラーム時刻「１４：３０」に対応する項目を見ることにより、「幼稚園バスお迎え」の時間であることを把握することができる。このように、本実施の形態のマルチアラーム付き時計１を用いれば、時間に追われる中で、日々のルーチン作業を着実にこなしていくことができる。また、本実施の形態のマルチアラーム付き時計１は、書き換え可能に項目を記入することができる項目記入欄４１、４２、４３、４４、４５を備えているため、いろいろな項目の時間管理を行うことができ、汎用性の高いものとなっている。すなわち、本実施の形態によれば、いろいろな項目の時間管理を簡単確実に行える汎用性の高いデジタル式のマルチアラーム付き時計１を提供することができる。
【００３４】
時計部２の右横には、書き換え可能に用件を記入することができるメモ欄１２が設けられている。このため、本実施の形態のマルチアラーム付き時計１は、図５に示すように、「書類１０／２６まで」、「ゴミ袋忘れない」等の、ちょっとした用件をメモしておくことが可能であり、利便性の良いものとなっている。ここで、メモ欄１２は、枠線で囲まれている。
【００３５】
時計１には、その背面の四隅にマグネット５が取り付けられている。そして、この構成によれば、時計１を冷蔵庫等に貼り付けて使用することが可能となる。
【００３６】
時計部２の時刻の設定は、時計１の背面に設けられた時刻設定ユーザーインターフェース１７をユーザーが操作することによって行われる。
【００３７】
図３において、１３はアラーム制御部であり、当該アラーム制御部１３は、時計部２が計時する現在の時刻が複数のアラーム時刻のいずれかと一致したときにアラーム報知部（スピーカ）１８を制御してアラーム音を発生させる等、アラーム全体を所定の制御プログラムに基づいて制御するものである。
【００３８】
アラーム設定部１４１、１４２、１４３、１４４、１４５は、それぞれ、アラーム設定ユーザーインターフェース１５１、１５２、１５３、１５４、１５５をユーザーが操作することにより、アラームごとの、アラームのＯｎ／Ｏｆｆ制御、アラーム時刻の設定、アラーム音の設定、アラーム音量の設定、及び、スヌーズのＯｎ／Ｏｆｆ制御を行う。そして、このようにして設定された複数のアラーム時刻、並びに、各アラーム時刻のアラーム音の種類及び音量は記憶部１６に記憶される。ここで、各アラーム設定ユーザーインターフェース１５１、１５２、１５３、１５４、１５５としての、アラームＯｎ／Ｏｆｆ切替ボタン６、アラーム時刻設定ボタン７、アラーム音変更ボタン８、アラーム音量変更ボタン９、及び、スヌーズＯｎ／Ｏｆｆ切替ボタン１０は、時計１の前面の、各アラーム時刻表示部３１、３２、３３、３４、３５とそれに対応する項目記入欄４１、４２、４３、４４、４５との間に配置されている。このように、アラーム設定ユーザーインターフェースは、時計１の前面に配置され、ボタン操作等の単純な操作によってアラーム設定を行うことができるようにされている。
【００３９】
時計１は、複数のアラーム時刻のそれぞれの経過後に当該アラーム時刻が経過したことを視覚的に知らせるリマインダー手段としてのリマインダー用ランプ１１をさらに備えている。そして、この構成によれば、ユーザーがアラームを聞き損ったとしても、アラーム時刻が経過したことを視認で気付かせることができる。ここで、リマインダー用ランプ１１は、時計１の前面の、各項目記入欄４１、４２、４３、４４、４５の直近に位置して設けられている。リマインダー用ランプ１１を各項目記入欄４１、４２、４３、４４、４５の直近に位置して設けておけば、どの項目についてのアラーム時刻が経過したのかをユーザーに確実に気付かせることができる。尚、各リマインダー用ランプ１１の点灯制御は、リマインダー制御部１９によって行われ、当該リマインダー制御部１９は、アラーム制御部１３からの制御信号を受けることによって作動するようにされている。
【００４０】
時計１の前面は、時計部２、アラーム時刻表示部３１、３２、３３、３４、３５、アラームＯｎ／Ｏｆｆ切替ボタン６、アラーム時刻設定ボタン７、アラーム音変更ボタン８、アラーム音量変更ボタン９、スヌーズＯｎ／Ｏｆｆ切替ボタン１０、及び、リマインダー用ランプ１１を除いて、ホワイトボードからなっている。すなわち、本実施の形態におけるマルチアラーム付き時計１の項目記入欄４１、４２、４３、４４、４５、及び、メモ欄１２は、ホワイトボード用マーカーを用いて書き換え可能に項目や用件を記入することができるホワイトボードからなっている。そして、このように、時計１の前面（時計部２の設けられている面）がホワイトボードからなっていれば、項目記入欄４１、４２、４３、４４、４５及びメモ欄１２以外のエリアにもメモ書き等ができる等、利便性がさらに向上する。
【００４１】
アラーム制御部１３は、図４に示すようなロジックで、時計１に対して複数設定されたアラームの制御を行う。
【００４２】
まず、アラーム制御部１３は、記憶部１６にアクセスして、アラームの有無の確認を行う（Ｓ１）。すなわち、アラーム制御部１３は、アラーム時刻が記憶部１６に記憶されているか否かの確認を行う。
【００４３】
次に、アラーム制御部１３は、アラーム時刻の確認を行う（Ｓ２）。そして、異なる項目に対して同じアラーム時刻が設定されている場合には、上位（インターフェース上の上部）の設定を優先する。
【００４４】
次に、アラーム制御部１３は、各アラーム時刻のアラーム音の種類及び音量（ボリューム）の確認を行う（Ｓ３）。すなわち、アラーム制御部１３は、予め用意されたアラーム音の種類や、５段階程度の音量から、各アラーム設定ユーザーインターフェース１５１、１５２、１５３、１５４、１５５を通じて選択された内容を確認する。そして、アラーム制御部１３は、時計部２が計時する現在の時刻が複数のアラーム時刻のいずれかと一致したときにアラーム報知部（スピーカ）１８を制御して、当該アラーム時刻のアラーム音を発生させる。
【００４５】
次に、アラーム制御部１３は、スヌーズの確認を行う（Ｓ４）。そして、アラーム制御部１３は、スヌーズがＯｎの場合には、アラーム報知部（スピーカ）１８を制御して、５分後に再度アラーム音を発生させる（スヌーズ動作）。このスヌーズ動作は、スヌーズＯｎ／Ｏｆｆ切替ボタン１０によってスヌーズがＯｆｆに切り替えられるまで複数回繰り返される。
【００４６】
最後に、アラーム制御部１３は、リマインダーの表示を行う（Ｓ５）。すなわち、アラーム制御部１３は、アラーム時刻が経過したら、リマインダー制御部１９に制御信号を送って当該リマインダー制御部１９を作動させ、リマインダー用ランプ１１を点灯させる。そして、アラームＯｎ／Ｏｆｆ切替ボタン６によってアラームをＯｆｆに切り替えたら、リマインダー用ランプ１１は消灯する。
【００４７】
尚、本実施の形態においては、時計１の前面にメモ欄１２が設けられたマルチアラーム付き時計１を例に挙げて説明したが、本考案は必ずしもこのような構成に限定されるものではない。時計１の前面には、現在の時刻を計時する時計部２と、複数のアラーム時刻を目視可能に表示するアラーム時刻表示部３１、３２、３３、３４、３５と、アラーム時刻表示部３１、３２、３３、３４、３５に表示されるアラーム時刻に対応する項目を書き換え可能に記入することができる項目記入欄４１、４２、４３、４４、４５とが少なくとも備わっていればよい。
【００４８】
また、本実施の形態においては、時計１の背面にマグネット５を取り付け、時計１を冷蔵庫等に貼り付けて使用する場合を例に挙げて説明したが、本考案は必ずしもこのような構成に限定されるものではない。例えば、時計１の背面にスタンドを取り付け、卓上タイプとして使用することもできる。また、フック等を用いて、時計１を壁等に掛けるようにしてもよい。さらには、紐等を用いて、時計１をキッチン等につりさげるようにしてもよい。
【００４９】
また、本実施の形態においては、アラーム設定部１４１、１４２、１４３、１４４、１４５が、それぞれ、アラームごとの、アラームのＯｎ／Ｏｆｆ制御、アラーム時刻の設定、アラーム音の設定、アラーム音量の設定、及び、スヌーズのＯｎ／Ｏｆｆ制御を行う場合を例に挙げて説明したが、本考案は必ずしもこのような構成に限定されるものではない。アラーム設定部１４１、１４２、１４３、１４４、１４５は、それぞれ、少なくともアラームのＯｎ／Ｏｆｆ制御、及び、アラーム時刻の設定を行うものであればよい。また、アラーム設定部１４１、１４２、１４３、１４４、１４５の少なくとも１つが、アラームのＯｎ／Ｏｆｆ制御、及び、アラーム時刻の設定のほかに、アラーム音の設定、アラーム音量の設定、及び、スヌーズのＯｎ／Ｏｆｆ制御からなる群から選ばれる少なくとも１つをさらに行うように構成することも望ましい。例えば、アラーム設定部１４１、１４３がアラームのＯｎ／Ｏｆｆ制御、及び、アラーム時刻の設定だけを行い（アラーム音、アラーム音量は固定、常にスヌーズＯｆｆ状態）、アラーム設定部１４２がアラームのＯｎ／Ｏｆｆ制御、アラーム時刻の設定、及び、アラーム音の設定だけを行い（アラーム音量は固定、常にスヌーズＯｆｆ状態）、アラーム設定部１４４がアラームのＯｎ／Ｏｆｆ制御、アラーム時刻の設定、アラーム音の設定、及び、アラーム音量の設定だけを行い（常にスヌーズＯｆｆ状態）、アラーム設定部１４５がアラームのＯｎ／Ｏｆｆ制御、アラーム時刻の設定、及び、スヌーズのＯｎ／Ｏｆｆ制御だけを行う（アラーム音、アラーム音量は固定）ように構成することができる。そして、このように、各アラームの設定にバリエーショをもたせることにより、重要度の高い項目とそうでない項目とを区別することが可能となる。
【００５０】
また、曜日設定機能あるいはカレンダー機能を追加し、特定の曜日や日時にアラーム報知されるようなアラーム設定とすることもできる。さらに、バイブレーション機能を追加し、アラーム報知を振動音によって行うようにしてもよい。また、設定したアラーム時刻を誤操作によって変更できないように、アラーム時刻設定ボタン７にロックスイッチを付設するようにしてもよい。
【００５１】
また、本実施の形態においては、項目記入欄４１（４２、４３、４４、４５）が、アラーム時刻表示部３１（３２、３３、３４、３５）の右に位置して設けられている場合を例に挙げて説明したが、本考案は必ずしもこのような構成に限定されるものではない。例えば、項目記入欄４１（４２、４３、４４、４５）は、アラーム時刻表示部３１（３２、３３、３４、３５）の左に位置して設けられていてもよい。また、項目記入欄４１（４２、４３、４４、４５）は、アラーム時刻表示部３１（３２、３３、３４、３５）の上下いずれかに位置して設けられていてもよい。
【００５２】
また、本実施の形態においては、各項目記入欄４１、４２、４３、４４、４５がそれぞれ枠線で囲まれている場合を例に挙げて説明したが、本考案は必ずしもこのような構成に限定されるものではない。各項目記入欄は、枠線で囲まれておらず、単に項目を記入することができるスペースが確保されているだけであってもよい。メモ欄１２についても同様である。
【００５３】
また、本実施の形態においては、項目記入欄４１、４２、４３、４４、４５が、ホワイトボード用マーカーを用いて書き換え可能に項目を記入することができるホワイトボードからなっている場合を例に挙げて説明したが、本考案は必ずしもこのような構成に限定されるものではない。項目記入欄４１、４２、４３、４４、４５は、例えば、タッチペンを用いて書き換え可能に項目を記入することができる電子ペーパー等からなっていてもよい。メモ欄１２についても同様である。
【００５４】
また、本実施の形態においては、アラーム時刻表示部及び項目記入欄がそれぞれ５つ設けられている場合を例に挙げて説明したが、本考案は必ずしもこのような構成に限定されるものではない。図６に示すマルチアラーム付き時計２０のように、アラーム時刻表示部３１、３２、３３、・・・、３ｎ及び項目記入欄４１、４２、４３、・・・、４ｎの数は、複数であればいくつであってもよい。例えば、２つであっても６つ以上であってもよい。そして、この場合には、図７に示すように、アラーム設定部１４１、１４２、１４３、・・・、１４ｎ及びアラーム設定ユーザーインターフェース１５１、１５２、１５３、・・・、１５ｎの数も、アラーム時刻表示部３１、３２、３３、・・・、３ｎ及び項目記入欄４１、４２、４３、・・・、４ｎの数に合わせて増減する。但し、アラーム時刻表示部３１、３２、３３、・・・、３ｎ及び項目記入欄４１、４２、４３、・・・、４ｎは、必ずしも全て使用されるものではない（後述する図８参照）。
【００５５】
また、本実施の形態においては、項目記入欄４１、４２、４３、４４、４５に記入する項目が「幼稚園バス送り出し」、「役員会」、「幼稚園バスお迎え」、「犬の散歩」、「祖母にお礼の電話」である場合を例に挙げて説明したが、本考案のマルチアラーム付き時計は、このような日々のルーチン作業の基点として、適時アラームでユーザーにタイミングを知らせるためだけに使用されるものではない。本考案のマルチアラーム付き時計は、例えば、自宅で模試の練習をする場合の、開始時間、休憩時間、再開時間、終了時間等をユーザーに知らせるために使用することもできる。図８に、この場合の使用例を示す。本考案のマルチアラーム付き時計は、何らかの時間管理に利用可能であり、人それぞれの使い方が広がることが期待される。
【００５６】
［第２の実施の形態］
次に、本考案の第２の実施の形態におけるマルチアラーム付き時計の構成について、図９〜図１１を参照しながら説明する。
【００５７】
図９は、本考案の第２の実施の形態におけるマルチアラーム付き時計の外観を示す正面図、図１０は、当該マルチアラーム付き時計に装着して用いられる着せ替えカバーの構成を示す正面図、図１１は、当該マルチアラーム付き時計に装着して用いられる着せ替えカバーの構成を示す背面図である。
【００５８】
本実施の形態のマルチアラーム付き時計自体は、上記第１の実施の形態における時計１と同じであるため、その説明は省略する。
【００５９】
図９〜図１１に示すように、本実施の形態のマルチアラーム付き時計２１は、当該時計２１に着脱可能に装着される着せ替えカバー２２を備えている。着せ替えカバー２２は、時計２１自体よりも若干大きい横長の長方形状に形成されており、かつ、時計部２、メモ欄１２、アラーム時刻表示部３１、３２、３３、３４、３５、アラームＯｎ／Ｏｆｆ切替ボタン６、アラーム時刻設定ボタン７、アラーム音変更ボタン８、アラーム音量変更ボタン９、スヌーズＯｎ／Ｏｆｆ切替ボタン１０、リマインダー用ランプ１１、及び、項目記入欄４１、４２、４３、４４、４５に対応する部分をくりぬいて形成されている。図９〜図１１中、２３は時計部２等に対応する部分をくりぬいてできた開口である。着せ替えカバー２２の背面には、その四辺に沿って弾性係止部２４が設けられており、当該弾性係止部２４を時計２１の背面側の縁部に被せることにより、着せ替えカバー２２を時計２１に装着することができる。
【００６０】
本実施の形態のマルチアラーム付き時計２１の構成によれば、時計部２等に対応する部分をくりぬいて形成され、時計２１に着脱可能に装着される着せ替えカバー２２をさらに備えていることにより、マルチアラーム付き時計２１のインテリア性を向上させることができる。この場合、数種類の色の着せ替えカバー２２を用意しておき、ユーザーの気分によって選べるようにしておくことが望ましい。また、風景画等を描いた着せ替えカバーを用いれば、マルチアラーム付き時計のインテリア性をさらに向上させることができる。
【００６１】
尚、本実施の形態においては、時計部２、メモ欄１２、アラーム時刻表示部３１、３２、３３、３４、３５、アラームＯｎ／Ｏｆｆ切替ボタン６、アラーム時刻設定ボタン７、アラーム音変更ボタン８、アラーム音量変更ボタン９、スヌーズＯｎ／Ｏｆｆ切替ボタン１０、リマインダー用ランプ１１、及び、項目記入欄４１、４２、４３、４４、４５に対応する部分をくりぬいて形成された着せ替えカバー２２を備えている場合を例に挙げて説明したが、本考案は必ずしもこのような構成に限定されるものではない。時計２１自体の前面には、現在の時刻を計時する時計部２と、複数のアラーム時刻を目視可能に表示するアラーム時刻表示部３１、３２、３３、３４、３５と、アラーム時刻表示部３１、３２、３３、３４、３５に表示されるアラーム時刻に対応する項目を書き換え可能に記入することができる項目記入欄４１、４２、４３、４４、４５とが少なくとも備わっていればよいので、この場合には、少なくとも時計部２、アラーム時刻表示部３１、３２、３３、３４、３５及び項目記入欄４１、４２、４３、４４、４５に対応する部分をくりぬいて形成された着せ替えカバーを用いればよい。
【００６２】
また、本実施の形態のマルチアラーム付き時計２１においては、当該時計２１に着せ替えカバー２２を装着するようにされているので、上記第１の実施の形態のマルチアラーム付き時計１と異なり、少なくともメモ欄１２及び項目記入欄４１、４２、４３、４４、４５がホワイトボードからなっていれば十分である。また、この場合、メモ欄１２及び項目記入欄４１、４２、４３、４４、４５は、例えば、タッチペンを用いて書き換え可能に用件、項目等を記入することができる電子ペーパー等からなっていてもよい。
【００６３】
［第３の実施の形態］
次に、本考案の第３の実施の形態におけるマルチアラーム付き時計の構成について、図１２、図１３を参照しながら説明する。
【００６４】
図１２は、本考案の第３の実施の形態におけるマルチアラーム付き時計の外観を示す正面図、図１３は、当該マルチアラーム付き時計の使用例を示す正面図である。
【００６５】
図１２、図１３に示すように、本実施の形態のマルチアラーム付き時計３１は、縦長の長方形状に形成されたアナログ時計である。時計３１は、現在の時刻を計時する時計部３２と、複数のアラーム時刻を一度に設定することができるアラーム設定部としてのアラーム設定用ボタン３５、３６、３７、３８、３９と、現在の時刻が複数のアラーム時刻のいずれかと一致したときにアラーム報知を行うアラーム報知部（図示せず）と、時計部３２と同じ面（前面）に設けられ、複数のアラーム時刻をそれぞれ目視可能に表示する複数のアラーム時刻表示部と、時計部３２と同じ面（前面）に設けられ、アラーム時刻表示部に表示されるアラーム時刻に対応する項目を書き換え可能に記入することができる項目記入欄３４１、３４２、３４３、３４４、３４５と、を備えている。ここで、項目記入欄３４１、３４２、３４３、３４４、３４５は、それぞれ枠線で囲まれている。
【００６６】
本実施の形態においては、時計部３２が長針３２１と短針３２２とを備えており、長針３２１と短針３２２とによって現在の時刻が計時される。
【００６７】
また、本実施の形態においては、時計部３２に複数のアラーム設定用指針３３１、３３２、３３３、３３４、３３５が取り付けられており、これらのアラーム設定用指針３３１、３３２、３３３、３３４、３３５は、それぞれ、時計３１の上部に設けられたアラーム設定用ボタン３５、３６、３７、３８、３９を押している間だけ回転するようにされている。このため、アラーム設定用ボタン３５、３６、３７、３８、３９を押し操作してアラーム設定用指針３３１、３３２、３３３、３３４、３３５を回転させ、当該アラーム設定用指針３３１、３３２、３３３、３３４、３３５がそれぞれ所定の時刻を指す位置にきたときにアラーム設定用ボタン３５、３６、３７、３８、３９の押し操作を停止することにより、アラーム設定用指針３３１、３３２、３３３、３３４、３３５に対応して複数のアラーム時刻を設定することができる。図１２、図１３においては、アラーム設定用指針３３１、３３２、３３３、３３４、３３５がそれぞれ「０７：３５」、「１１：３０」、「１４：３０」、「１６：００」、「１３：００」のアラーム時刻を指している。本実施の形態のマルチアラーム付き時計３１においては、アラーム設定用指針３３１、３３２、３３３、３３４、３３５が、複数のアラーム時刻をそれぞれ目視可能に表示する複数のアラーム時刻表示部としての役割をも果たしている。そして、時計部３２の短針３２２がアラーム設定用指針３３１、３３２、３３３、３３４、３３５のいずれかと重なったときに、アラーム報知部に電気信号が伝達されてアラーム報知がなされる。尚、アラームのＯｎ／Ｏｆｆ切替は、アラーム設定用ボタン３５、３６、３７、３８、３９を回動操作することによって行われる。
【００６８】
アラーム設定用指針３３１、３３２、３３３、３３４、３３５は、表面の色や模様を異ならせることにより、視覚的に区別できるようにされている。また、時計部３２と同じ面には、当該時計部３２の下に、アラーム設定用指針３３１、３３２、３３３、３３４、３３５と同じ色や模様の複数のマーク３０１、３０２、３０３、３０４、３０５がこの順番で縦に配置されている。そして、項目記入欄３４１、３４２、３４３、３４４、３４５のそれぞれは、マーク３０１、３０２、３０３、３０４、３０５のそれぞれの右に位置して設けられている。すなわち、項目記入欄は、各アラーム時刻に対応するマークごとに（アラーム時刻表示部ごとに）設けられている。
【００６９】
本実施の形態のマルチアラーム付き時計３１の構成によれば、図１３に示すように、項目記入欄３４１、３４２、３４３、３４４、３４５のそれぞれに、例えば、「幼稚園バス送り出し」、「役員会」、「幼稚園バスお迎え」、「犬の散歩」、「祖母にお礼の電話」等の項目を記入し、これらの項目にそれぞれ対応するアラーム時刻「０７：３５」、「１１：３０」、「１４：３０」、「１６：００」、「１３：００」をアラーム設定用指針３３１、３３２、３３３、３３４、３３５によって設定しておくことにより、アラームを聞いた直後に、短針３２２が重なっているアラーム設定用指針と同じ色や模様のマークの右横の項目を見るだけで、今何をすべきかを簡単確実に把握することができる。例えば、アラームを聞いた直後の短針３２２がアラーム設定用指針３３３に重なっていれば、アラーム設定用指針３３３に対応するマーク３０３の右横の項目を見ることにより、「幼稚園バスお迎え」の時間であることを把握することができる。このように、本実施の形態のマルチアラーム付き時計３１を用いれば、時間に追われる中で、日々のルーチン作業を着実にこなしていくことができる。また、本実施の形態のマルチアラーム付き時計３１は、書き換え可能に項目を記入することができる項目記入欄３４１、３４２、３４３、３４４、３４５を備えているため、いろいろな項目の時間管理を行うことができ、汎用性の高いものとなっている。すなわち、本実施の形態によれば、いろいろな項目の時間管理を簡単確実に行える汎用性の高いアナログ式のマルチアラーム付き時計３１を提供することができる。
【００７０】
時計３１の前面は、時計部３２及びマーク３０１、３０２、３０３、３０４、３０５を除いて、ホワイトボードからなっている。すなわち、本実施の形態におけるマルチアラーム付き時計３１の項目記入欄３４１、３４２、３４３、３４４、３４５は、ホワイトボード用マーカーを用いて書き換え可能に項目を記入することができるホワイトボードからなっている。そして、このように、時計３１の前面（時計部３２の設けられている面）がホワイトボードからなっていれば、項目記入欄３４１、３４２、３４３、３４４、３４５以外のエリアにもメモ書き等ができる等、利便性がさらに向上する。図１３においては、時計３１の前面の最上部に、ちょっとした用件である「書類１０／２６まで」、「ゴミ袋忘れない」がメモ書きされている例を示している。
【００７１】
尚、本実施の形態のマルチアラーム付き時計３１も、当該時計３１の背面にマグネットを取り付け、冷蔵庫等に貼り付けて使用することができる。また、時計３１の背面にスタンドを取り付け、卓上タイプとして使用することもできる。また、フック等を用いて、時計３１を壁等に掛けるようにしてもよい。さらには、紐等を用いて、時計３１をキッチン等につりさげるようにしてもよい。
【００７２】
また、本実施の形態においては、項目記入欄３４１（３４２、３４３、３４４、３４５）が、マーク３０１（３０２、３０３、３０４、３０５）の右に位置して設けられている場合を例に挙げて説明したが、本考案は必ずしもこのような構成に限定されるものではない。例えば、項目記入欄３４１（３４２、３４３、３４４、３４５）は、マーク３０１（３０２、３０３、３０４、３０５）の左に位置して設けられていてもよい。また、項目記入欄３４１（３４２、３４３、３４４、３４５）は、マーク３０１（３０２、３０３、３０４、３０５）の上下いずれかに位置して設けられていてもよい。
【００７３】
また、本実施の形態においては、各項目記入欄３４１、３４２、３４３、３４４、３４５がそれぞれ枠線で囲まれている場合を例に挙げて説明したが、本考案は必ずしもこのような構成に限定されるものではない。各項目記入欄は、枠線で囲まれておらず、単に項目を記入することができるスペースが確保されているだけであってもよい。
【００７４】
また、本実施の形態においては、項目記入欄３４１、３４２、３４３、３４４、３４５が、ホワイトボード用マーカーを用いて書き換え可能に項目を記入することができるホワイトボードからなっている場合を例に挙げて説明したが、本考案は必ずしもこのような構成に限定されるものではない。項目記入欄３４１、３４２、３４３、３４４、３４５は、例えば、タッチペンを用いて書き換え可能に項目を記入することができる電子ペーパー等からなっていてもよい。
【００７５】
また、本実施の形態においては、アラーム設定用指針及び項目記入欄がそれぞれ５つ設けられている場合を例に挙げて説明したが、本考案は必ずしもこのような構成に限定されるものではない。アラーム設定用指針及び項目記入欄の数は、複数であればいくつであってもよい。例えば、２つであっても６つ以上であってもよい。
【００７６】
また、本実施の形態においては、項目記入欄３４１、３４２、３４３、３４４、３４５に記入する項目が「幼稚園バス送り出し」、「役員会」、「幼稚園バスお迎え」、「犬の散歩」、「祖母にお礼の電話」である場合を例に挙げて説明したが、本考案のマルチアラーム付き時計は、このような日々のルーチン作業の基点として、適時アラームでユーザーにタイミングを知らせるためだけに使用されるものではない。本考案のマルチアラーム付き時計は、例えば、自宅で模試の練習をする場合の、開始時間、休憩時間、再開時間、終了時間等をユーザーに知らせるために使用することもできる。本考案のマルチアラーム付き時計は、何らかの時間管理に利用可能であり、人それぞれの使い方が広がることが期待される。
【００７７】
本実施の形態のアナログ式のマルチアラーム付き時計３１においても、リマインダー機能やスヌーズ機能を追加することは可能である。
【産業上の利用可能性】
【００７８】
本考案によれば、いろいろな項目の時間管理を簡単確実に行える汎用性の高いマルチアラーム付き時計を提供することができる。従って、本考案のマルチアラーム付き時計は、目覚まし時計としてはもちろんのこと、例えば、幼稚園／小学校／介護施設の送り出し／お迎え、薬の服用、犬の散歩、集会への参加、買い出し等々の、日々のルーチン作業の基点として、適時アラームでユーザーにタイミングを知らせるために使用される時計としても有用である。
【符号の説明】
【００７９】
１、２０、２１、３１  マルチアラーム付き時計
２、３２  時計部
３１、３２、３３、３４、３５、３ｎ  アラーム時刻表示部
４１、４２、４３、４４、４５、４ｎ、３４１、３４２、３４３、３４４、３４５  項目記入欄
５  マグネット
６  アラームＯｎ／Ｏｆｆ切替ボタン
７  アラーム時刻設定ボタン
８  アラーム音変更ボタン
９  アラーム音量変更ボタン
１０  スヌーズＯｎ／Ｏｆｆ切替ボタン
１１  リマインダー用ランプ
１２  メモ欄
１３  アラーム制御部
１４１、１４２、１４３、１４４、１４５、１４ｎ  アラーム設定部
１５１、１５２、１５３、１５４、１５５、１５ｎ  アラーム設定ユーザーインターフェース
１６  記憶部
１７  時刻設定ユーザーインターフェース
１８  アラーム報知部（スピーカ）
１９  リマインダー制御部（点灯）
２２  着せ替えカバー
２３  開口
２４  弾性係止部
３０１、３０２、３０３、３０４、３０５  マーク
３２１  長針
３２２  短針
３３１、３３２、３３３、３３４、３３５  アラーム設定用指針
３５、３６、３７、３８、３９  アラーム設定用ボタン
【図１】
0003182364.tif 000003
【図２】
0003182364.tif 000004
【図３】
0003182364.tif 000005
【図４】
0003182364.tif 000006
【図５】
0003182364.tif 000007
【図６】
0003182364.tif 000008
【図７】
0003182364.tif 000009
【図８】
0003182364.tif 000010
【図９】
0003182364.tif 000011
【図１０】
0003182364.tif 000012
【図１１】
0003182364.tif 000013
【図１２】
0003182364.tif 000014
【図１３】
0003182364.tif 000015